(57)【特許請求の範囲】
【請求項１】
磁性体コアと、巻線と、前記磁性体コアを保持すると共に、前記巻線端末が接続される端子を有するコアケースとを備えたコイル部品であって、
前記磁性体コアはその上面から下面にわたって直線的に設けた２個以上の貫通孔を有し、
前記コアケースは前記磁性体コアが有する前記貫通孔と同数の貫通孔をケース天板部およびケース底板部にそれぞれ有し、かつ前記コアケースの端面の少なくとも一方は開口され、前記コアケースの両側板にはそれぞれ端子がその上部を前記ケース天板部より上方に延出させて固定され、
前記磁性体コアは前記コアケースの前記端面の開口部より挿入して固定され、該固定状態において前記磁性体コアの貫通孔に前記コアケースの前記ケース天板部およびケース底板部に設けた貫通孔の位置に一致し、
前記巻線は、前記ケース天板部の貫通孔、前記磁性体コアの貫通孔、前記ケース底板部の貫通孔に通して前記コアケース上に巻装されると共に、巻線端末が前記端子の上方への延出部に接続される
ことを特徴とするコイル部品。
【請求項２】
磁性体コアと、巻線と、前記磁性体コアを保持するコアケースと、前記巻線端部が接続される端子を有する端子台とを備えたコイル部品であって、
前記磁性体コアはその上面から下面にわたって直線的に設けた２個以上の貫通孔を有し、
前記コアケースは前記磁性体コアが有する前記貫通孔と同数の貫通孔をケース天板部およびケース底板部にそれぞれ有し、かつ前記コアケースの端面の少なくとも一方は開口されており、
前記磁性体コアは前記コアケースの前記端面の開口部より挿入して固定され、該固定状態において前記磁性体コアの貫通孔に前記コアケースの前記ケース天板部およびケース底板部に設けた貫通孔の位置に一致し、
前記巻線は、前記ケース天板部の貫通孔、前記磁性体コアの貫通孔、前記ケース底板部の貫通孔に通して前記コアケース上に巻装され、
前記巻線を施したコアケースは前記端子台に固定され、前記端子台に設けられた端子の上部への延出部に巻線端末が接続される
ことを特徴とするコイル部品。
【請求項３】
請求項１または２のコイル部品において、
前記コアケースのケース天板部およびケース底板部に設けた貫通孔は、前記磁性体コアの貫通孔より小さく形成されている
ことを特徴とするコイル部品。
【請求項４】
請求項１から３までのコイル部品のいずれかにおいて、
前記コアケースの天板部側を覆うカバーを備えた
ことを特徴とするコイル部品。
【発明の詳細な説明】
【０００１】
【発明の属する技術分野】
本発明は、磁性体コアに貫通孔を設け、その貫通孔に巻線を挿通し巻装してトランスやインダクタを構成するコイル部品に関する。
【０００２】
【従来の技術】
図６はこの種のコイル部品の一例を示す斜視図である。３１はフェライト等高透磁率材料からなる磁性体コアである。該磁性体コア３１には一方の端面から他方の端面に至る貫通孔３２を２個以上（本例は６個）有する。巻線３３は、対をなす２個の貫通孔３２のものに挿入して巻回される。３４は端子３５を固定した樹脂製の端子台であり、該端子台３４に前記巻線３３を巻装した磁性体コア３１が接着により固定され、各巻線３３の端末３３ａが端子３５に絡げて接続される。
【０００３】
【発明が解決しようとする課題】
この種のコイル部品は、漏洩磁束が少なく、効率が高いという利点がある。しかしながら、巻線３３が磁性体コア３１の貫通孔３２の端部の角部に接触するので、巻線３３の絶縁被覆が剥げ、巻線間または巻線と磁性体コア３１との間が電気的に導通したり、断線するおそれがあるという問題点があった。
【０００４】
また、この磁性体コアとしてＭｎ−Ｚｎ系フェライトを用いる場合、電気抵抗が小さいためにフッ素コーティングまたはパラキシレンコーティング被覆を施すが、前記巻線との接触による被覆破壊を防止するため、コーティングの厚みを大きくしており、このことがコーティング剤の収縮により発生する応力によってインダクタンスを変化させ、インダクタンスのばらつきが大きくなるという問題点があった。
【０００５】
さらに、外部からの衝撃、振動等により、最悪の事態では磁性体コア１が割れて脱落または飛散する等、安全性に不安があった。
【０００６】
本発明は、上記問題点に鑑み、巻線が磁性体コアの貫通孔の角部で絶縁破壊や断線を起こすおそれがなく、磁性体コアの絶縁被覆も薄くてすみ、特性が揃い、安全性の面でも有利となるコイル部品を提供することを目的とする。
【０００７】
【課題を解決するための手段】
請求項１のコイル部品は、磁性体コアと、巻線と、前記磁性体コアを保持すると共に、前記巻線端末が接続される端子を有するコアケースとを備えたコイル部品であって、
前記磁性体コアはその上面から下面にわたって直線的に設けた２個以上の貫通孔を有し、
前記コアケースは前記磁性体コアが有する前記貫通孔と同数の貫通孔をケース天板部およびケース底板部にそれぞれ有し、かつ前記コアケースの端面の少なくとも一方は開口され、前記コアケースの両側板にはそれぞれ端子がその上部を前記ケース天板部より上方に延出させて固定され、
前記磁性体コアは前記コアケースの前記端面の開口部より挿入して固定され、該固定状態において前記磁性体コアの貫通孔に前記コアケースの前記ケース天板部およびケース底板部に設けた貫通孔の位置に一致し、
前記巻線は、前記ケース天板部の貫通孔、前記磁性体コアの貫通孔、前記ケース底板部の貫通孔に通して前記コアケース上に巻装されると共に、巻線端末が前記端子の上方への延出部に接続される
ことを特徴とする。
【０００８】
このように、コアケースのケース天板部、磁性体コア、ケース底板部にそれぞれ設けた貫通孔に巻線を通してコアケースの外に巻線を施すことにより、巻線は磁性体コアの角部で接触することなく、磁性体コアより柔軟な樹脂製コアケースの貫通孔の角部において接触して曲げられるので、巻線の絶縁被覆が剥離を免れることができる。
【０００９】
また、磁性体コアの貫通孔の角部に巻線が接触しないため、磁性体コアの絶縁被覆の厚みを薄くするかまたは無くすことができ、絶縁被覆の収縮によるインダクタンスの低下を少なくまたは無くすことができる。
【００１０】
また、磁性体コアはコアケース内に保持されるため、外部からの衝撃が緩和され、破損による割れが防止されると共に、磁性体コアの飛散が防止されるために、安全性が向上する。
【００１１】
請求項２のコイル部品は、磁性体コアと、巻線と、前記磁性体コアを保持するコアケースと、前記巻線端部が接続される端子を有する端子台とを備えたコイル部品であって、
前記磁性体コアはその上面から下面にわたって直線的に設けた２個以上の貫通孔を有し、
前記コアケースは前記磁性体コアが有する前記貫通孔と同数の貫通孔をケース天板部およびケース底板部にそれぞれ有し、かつ前記コアケースの端面の少なくとも一方は開口されており、
前記磁性体コアは前記コアケースの前記端面の開口部より挿入して固定され、該固定状態において前記磁性体コアの貫通孔に前記コアケースの前記ケース天板部およびケース底板部に設けた貫通孔の位置に一致し、
前記巻線は、前記ケース天板部の貫通孔、前記磁性体コアの貫通孔、前記ケース底板部の貫通孔に通して前記コアケース上に巻装され、
前記巻線を施したコアケースは前記端子台に固定され、前記端子台に設けられた端子の上部への延出部に巻線端末が接続される
ことを特徴とする。
【００１２】
請求項２の構造においても、請求項１と同様の理由により、巻線絶縁破壊が免れられ、磁性体コアの絶縁被覆によるインダクタンスの低下が低減または無くなり、安全性が向上する。
【００１３】
請求項３のコイル部品は、請求項１または２において、
前記コアケースのケース天板部およびケース底板部に設けた貫通孔は、前記磁性体コアの貫通孔より小さく形成されている
ことを特徴とする。
【００１４】
このように、ケース天板部およびケース底板部の貫通孔を磁性体コアの貫通孔より小さくすることにより、磁性体コアの貫通孔の角部に対する巻線の接触を完全に防止することができる。
【００１５】
請求項４のコイル部品は、請求項１から３までのいずれかにおいて、
前記コアケースの天板部側を覆うカバーを備えた
ことを特徴とする。
【００１６】
このように、コアケースの天板部側をカバーによって覆うことにより、コアケースの上面に露出した巻線がカバーによって保護される。また、カバーをマウンタによる吸着面として用いることができる。
【００１７】
【発明の実施の形態】
図１（Ａ）は本発明のコイル部品の一実施の形態を組立前の状態を示す斜視図、図１（Ｂ）はその磁性体コアをコアケースに組み合わせた状態を示す斜視図、図２（Ａ）はその完成品を示す斜視図である。
【００１８】
これらの図において、１はフェライト等の高透磁率材料でなる磁性体コアである。２は該磁性体コア１の上面から下面にわたって設けた貫通孔であり、本実施の形態では６個の貫通孔２を設けたものを示す。
【００１９】
３は樹脂製のコアケースであり、該コアケース３には磁性体コア１を緊密に嵌合するボックス状のコア保持部４を有し、１端面には磁性体コア１挿入のための開口部５を有する。コア保持部４を構成する両側板には表面実装型構造の端子６が固定される。
【００２０】
該コアケース３は前記磁性体コア１が有する前記貫通孔２と同数の貫通孔７、８をケース天板部３ａおよびケース底板部３ｂにそれぞれ有する。コアケース６のコア保持部４を構成する両側板に固定する端子６は、ケース天板部３ａより上方に延出する。図２（Ｂ）に示すように、前記磁性体コア１の貫通孔２の直径Ｄ２より、コアケース３のケース天板部３ａの貫通孔７（ケース底板部３ｂの貫通孔８も同様）の直径Ｄ１を小さく形成することが好ましい。
【００２１】
前記磁性体コア１は前記コアケース３のコア保持部４に前記端面の開口部５より挿入し、磁性体コア１の先端がコアケース３の端面、すなわち開口部５の反対側の面（図示せず）に当接することで位置決めされる。この位置決め状態において、磁性体コア１はコアケース３に対して接着等により固定される。そして、この固定状態においては、前記磁性体コア１の貫通孔２に前記コアケース３の前記ケース天板部３ａおよびケース底板部３ｂに設けた貫通孔７、８の位置が一致する。
【００２２】
このようにコアケース３に磁性体コア１を保持させ固定した状態において、巻線９を、前記ケース天板部３ａの貫通孔７、前記磁性体コア１の貫通孔２、前記ケース底板部３ｂの貫通孔８に通してコアケース３に巻装する。そして巻線９の端末を端子６の上方への延出部に絡げて半田付けする。この巻線９は、溶接によって端子６に接続してもよい。
【００２３】
１０は樹脂製カバーであり、該カバー１０は天板部１０ａと両端板部１０ｂと両端板部１０ｂの各下端より内側に曲げて形成された係止片１０ｃとからなる。該カバー１０は、図３に示すように、カバー１０の天板部１０ａでコアケース３のケース天板部３ａを覆い、かつ端板部１０ｂでコアケース３の開口部５とその反対側の端面を覆い、係止片１０ｃをケース底板部３ｂの下面に係止させて取付ける。この場合、コアケース３の上面に設けた突起１３によりカバー１０の天板部１０ａを支持し、天板部１０ａが巻線９に圧接して巻線９に無理な力がかからないようにしている。
【００２４】
上述したように、コアケース３のケース天板部３ａ、磁性体コア１、ケース底板部３ｂにそれぞれ設けた貫通孔７、２、８に巻線９を通してコアケース３の外に巻線９を施すことにより、巻線９は磁性体コア１の貫通孔２の角部で接触することなく、磁性体コア１より柔軟な樹脂製コアケース３の貫通孔７、８の角部において接触して曲げられるので、巻線の絶縁被覆が剥離を免れることができる。
【００２５】
なお、この場合、図２（Ｂ）に示したように、ケース天板部３ａ、ケース底板部３ｂの貫通孔７、８のサイズを磁性体コア１の貫通孔２より小さく形成することによって、巻線９が貫通孔２の角部に接触することをより被服剥離を確実に回避することができ、巻線９の絶縁被覆の剥離をより確実に回避することができる。また、図２（Ｂ）に示すように、貫通孔７（８も同様）の外側の角部７ａをＲ状に形成することにより、巻線９の絶縁被膜の剥離がより確実に防止される。
【００２６】
このように、磁性体コア１の貫通孔２の角部に巻線９が接触しない構造とすれば、磁性体コア１の絶縁被覆（フッ素コーティングまたはパラフィンコーティング）の厚みを薄くするかまたは無くすことができ、絶縁被覆の収縮によるインダクタンスの低下を小さくするかまたは無くすことができる。
【００２７】
また、磁性体コア１はコアケース３内に保持されるため、外部からの衝撃が緩和され、破損による割れが防止されると共に、磁性体コア１の飛散が防止されるために、安全性が向上する。
【００２８】
また、コアケース３の天板部３ａや両端面をカバー１０によって覆うことにより、コアケース３の上面に露出した巻線９がカバー１０によって保護される。また、カバー１０をマウンタによる吸着面として用いることができる。
【００２９】
図３（Ａ）、（Ｂ）は本発明の他の実施の形態を示す斜視図であり、本実施の形態は、前記磁性体コア１の貫通孔２、コアケース３のケース天板部３ａの貫通孔７、ケース底板部３ｂの貫通孔８をそれぞれ２個ずつあけ、３本の巻線９をこれらの貫通孔に共通に通して巻線したものである。
【００３０】
図４（Ａ）、（Ｂ）、（Ｃ）はそれぞれ端子の形状を変えた本発明によるコイル部品の他の実施の形態を示す斜視図である。図４（Ａ）の例は端子６Ａの一部に段部１４を設けた表面実装型のコイル部品である。図４（Ｂ）は端子の下部を内側に折り曲げた表面実装型端子６Ｂとしたものである。図４（Ｃ）の例は、プリント基板のスルーホールに差し込むストレートタイプの端子６Ｃとしたものである。
【００３１】
図５は本発明によるコイル部品の他の実施の形態であり、コアケース１１と端子６を固定した端子台１２とを別体に構成したものである。この実施の形態においては、片面開口のボックス状をなすコアケース１１の天板部１１ａ、底板部１１ｂに前記と同様に磁性体コア１の貫通孔２と同数の貫通孔７、８を設ける。そして前記同様に磁性体コア１をコアケース１１内に収容して固定し、巻線９を施した後、端子台１２に設けたコアケース収容部１２ａに嵌合して固定し、必要に応じて接着する。そして、端子台１２に固定された端子６の端子台１２から上方への延出部に巻線端末９ａをからげて半田付けするかまたは溶接して接続する。
【００３２】
本発明を実施する場合、前記コアケース３のコア保持部４やコアケース１１は、磁性体コア１の位置決めを行うストッパなどを設ければ両面開口構造にしてもよい。
【００３３】
【発明の効果】
請求項１、２によれば、コアケースのケース天板部、磁性体コア、ケース底板部にそれぞれ設けた貫通孔に巻線を通してコアケースの外に巻線を施す構造としたので、巻線は磁性体コアの角部で接触することなく、磁性体コアより柔軟な樹脂製コアケースの貫通孔の角部において接触して曲げられるので、巻線の絶縁被覆が剥離を免れることができる。
【００３４】
また、磁性体コアの貫通孔の角部に巻線が接触しないため、磁性体コアの絶縁被覆の厚みを薄くするかまたは無くすことができ、絶縁被覆の収縮によるインダクタンスの低下を小さくまたは無くすことができ、特性のばらつきを小さくすることができる。
【００３５】
また、磁性体コアはコアケース内に保持されるため、外部からの衝撃が緩和され、破損による割れが防止されると共に、磁性体コアの飛散が防止されるために、安全性が向上する。
【００３６】
請求項３によれば、コアケースのケース天板部およびケース底板部に設けた貫通孔を、前記磁性体コアの貫通孔より小さく形成したので、磁性体コアの貫通孔の角部に対する巻線の接触を完全に防止することができる。
【００３７】
請求項４によれば、コアケースの天板部側をカバーによって覆ったので、コアケースの上面に露出した巻線がカバーによって保護される。また、カバーをマウンタによる吸着面として用いることができる。
【図面の簡単な説明】
【図１】（Ａ）は本発明のコイル部品の一実施の形態を組立前の状態を示す斜視図、（Ｂ）はその磁性体コアをコアケースに組み合わせた状態を示す斜視図である。
【図２】（Ａ）は図１のコイル部品の完成品を示す斜視図、（Ｂ）はその一部拡大断面図である。
【図３】（Ａ）は本発明のコイル部品の他の実施の形態を組立前の状態を示す斜視図、（Ｂ）はその磁性体コアをコアケースに組み合わせた状態を示す斜視図である。
【図４】（Ａ）、（Ｂ）、（Ｃ）はそれぞれ本発明のコイル部品の他の実施の形態を示す斜視図である。
【図５】本発明のコイル部品の他の実施の形態を示す分解斜視図である。
【図６】従来のコイル部品を示す斜視図である。
【符号の説明】
１：磁性体コア、２、貫通孔、３：コアケース、３ａ：ケース天板部、３ｂ：ケース底板部、４：コア保持部、５：開口部、６、６Ａ〜６Ｃ：端子、７、８：貫通孔、９：巻線、１０：カバー、１１：コアケース、１１ａ：ケース天板部、１１ｂ：ケース底板部、１２：端子台、１２ａ：コアケース収容部、１３：突起
【図１】
0004301742.tif 000002
【図２】
0004301742.tif 000003
【図３】
0004301742.tif 000004
【図４】
0004301742.tif 000005
【図５】
0004301742.tif 000006
【図６】
0004301742.tif 000007